(57)【要約】      （修正有）【課題】鋭い角を持つ塊状のポリシリコンをプラスチックバッグで包装した場合に、プラスチックバッグの貫通及びそれに伴う汚染が生じることのない、包装方法の提供。【解決手段】ポリシリコン塊を第一プラスチックバッグに導入し、前記塊を導入した後、前記第一プラスチックバッグを第二プラスチックバッグに導入するか、又は前記第一プラスチックバッグへの前記塊の導入より前に前記第一プラスチックバッグを前記第二プラスチックバッグの中にすでに挿入し、その結果、前記塊を密封される二重バッグの中に存在させ、前記塊を導入した後、前記二重バッグ中の、前記2つのプラスチックバッグ中に存在する空気を、前記二重バッグの密封前に、前記二重バッグの総体積が前記塊の体積に対して2.4〜3.0の割合になるように除去する。【選択図】なし【特許請求の範囲】
【請求項１】
塊の形態にあるポリシリコンを包装するための方法であって、
前記塊を第一プラスチックバッグに導入し、前記塊を導入した後、前記第一プラスチックバッグを第二プラスチックバッグに導入するか、又は前記第一プラスチックバッグへの前記塊の導入より前に前記第一プラスチックバッグを前記第二プラスチックバッグの中にすでに挿入し、その結果、前記塊を密封される二重バッグの中に存在させ、前記塊を導入した後、前記二重バッグ中の、前記2つのプラスチックバッグ中に存在する空気を、前記二重バッグの密封前に、前記二重バッグの総体積が前記塊の体積に対して2.4〜3.0の割合になるように除去する、方法。
【請求項２】
前記第一プラスチックバッグの前記総体積が前記塊の前記体積に対して2.0〜2.7の割合である、請求項１に記載の方法。
【請求項３】
前記第一プラスチックバッグの寸法が、前記第一プラスチックバッグを形成するプラスチックフィルムが前記塊に密接に適合するような寸法である、請求項１又は２に記載の方法。
【請求項４】
クランプ又はラム装置により、吸引装置により、又は真空チャンバにより、前記プラスチックバッグを圧縮することによって、空気を前記プラスチックバッグから除去する、請求項１〜３のいずれか一項に記載の方法。
【請求項５】
前記包装操作の際における相対空気湿度が30〜70％である、請求項１〜４のいずれか一項に記載の方法。
【請求項６】
前記二重バッグにおける前記2つのプラスチックバッグのそれぞれを、空気を除去した後、溶接により個別に密封する、請求項１〜５のいずれか一項に記載の方法。
【請求項７】
前記二重バッグ中の前記2つのプラスチックバッグを、溶接により、共通の溶接継目により密封する、請求項１〜５のいずれか一項に記載の方法。
【請求項８】
前記塊を前記第一プラスチックバッグの中に導入し、続いて前記第一プラスチックバッグから空気を除去し、前記第一プラスチックバッグを密封し、前記第二プラスチックバッグの中に導入し、前記二重バッグを形成し、次いで前記第二プラスチックバッグから空気を除去し、前記第二プラスチックバッグを密封する、請求項１〜６のいずれか一項に記載の方法。
【請求項９】
第一及び第二プラスチックバッグ及び前記第一プラスチックバッグ中に存在する塊の形態にあるポリシリコンを備える二重バッグであって、前記第一プラスチックバッグが前記第二プラスチックバッグの中に挿入されており、両方のプラスチックバッグが密封されており、前記二重バッグの総体積が、前記塊の体積に対して2.4〜3.0の割合である、二重バッグ。
【請求項１０】
前記第一バッグの総体積が、前記塊の体積に対して2.0〜2.7の割合である、請求項９に記載の二重バッグ。
【請求項１１】
前記第一及び前記第二プラスチックバッグが溶接により密封され、かつ共通の溶接継目を有する、請求項９又は１０記載の二重バッグ。
【発明の詳細な説明】
【技術分野】
【０００１】
本発明は、多結晶シリコンの包装方法に関する。
【背景技術】
【０００２】
多結晶シリコン(ポリシリコン)は、主としてハロシラン、例えばトリクロロシラン、からシーメンス法により堆積させ、次いで汚染を最小に抑えながら多結晶シリコン塊（チャンク）に粉砕する。
【０００３】
半導体及びソーラー工業における用途には、汚染が最小レベルである塊状ポリシリコンが望ましい。従って、材料は、顧客に搬送する前に、やはり低汚染レベルで包装する必要がある。
【０００４】
典型的には、塊状ポリシリコンはプラスチックバッグに包装する。
【０００５】
塊状ポリシリコンは、鋭い角を持つ、自由に流れないバルク材料である。従って、包装の際には、詰める時に材料が通常のプラスチックバッグを貫通しないようにする必要があり、さもなくば、最悪の場合には、バッグが完全に破れてしまう。これを避けるために、先行技術は、様々な対策を提案している。例えば、米国特許出願公開第2010/154357A1号は、プラスチックバッグ中にエネルギー吸収手段を意図している。
【０００６】
しかし、そのようなバッグの貫通は、包装中のみならず、顧客への搬送の際にも起こり得る。塊状ポリシリコンは、鋭い角を持ち、従って、バッグ中の塊の向きが好ましくない場合、塊とバッグフィルムの相対的な運動により、塊がフィルムを切断するか、又はバッグフィルムに対する塊の圧力により、塊がフィルムを貫通する。
【０００７】
バッグ包装から突き出た塊状ポリシリコンは、周囲の物質により直接、及び周囲空気が流れ込むために内側にある塊が、許容できない程度に汚染されることがある。
【０００８】
その上、包装した塊を輸送する時、好ましくない後粉砕が起こる。
【０００９】
後粉砕は、特に形成される微粉画分が顧客にとって劣った操作性能につながることが分かっているので、好ましくない。そのため、微粉画分は、顧客が、さらに処理する前に、再び篩にかけて除去しなければならず、これは不利である。
【００１０】
この問題は、粉砕し、分類した、及び清浄にした、及び清浄にしていないシリコンに、包装のサイズ(典型的には、5又は10kgのポリシリコンを含むバッグ)に関係なく、等しく適用される。
【００１１】
米国特許出願公開第2010/154357A1号は、密封する際に、10〜700mbarの真空が生じるまで、空気を吸引することを提案している。
【００１２】
米国特許出願公開第2012/198793A1号は、低空気含有量を含む平らなバッグが得られるまで、溶接前に、空気をバッグから外に吸引することを開示している。
【００１３】
これらの対策は、貫通を防止するのには不適当である。
【００１４】
このことが、本発明の目的を生じたのである。
【発明の概要】
【００１５】
本発明の目的は、塊の形態にあるポリシリコンを包装するための方法であって、前記塊を第一プラスチックバッグに導入し、前記塊を導入した後、前記第一プラスチックバッグを第二プラスチックバッグに導入するか、又は前記第一プラスチックバッグへの前記塊の導入より前に前記第一プラスチックバッグを前記第二プラスチックバッグの中にすでに挿入し、その結果、前記塊を密封される二重バッグの中に存在させ、前記塊を導入した後、前記二重バッグ中の、前記2つのプラスチックバッグ中に存在する空気を、前記二重バッグの密封前に、前記二重バッグの総体積が前記塊の体積に対して2.4〜3.0の割合になるように除去する、方法により達成される。
【００１６】
好ましくは、二重バッグにおける2つのプラスチックバッグのそれぞれを、空気を除去した後、溶接により個別に密封する。
【００１７】
二重バッグ中の2つのプラスチックバッグを溶接により、共通の溶接継目により密封するのも等しく好ましい。
【００１８】
好ましくは、塊を第一プラスチックバッグの中に導入し、続いて第一プラスチックバッグから空気を除去し、第一プラスチックバッグを密封し、第二プラスチックバッグの中に導入し、二重バッグを形成し、次いで第二プラスチックバッグから空気を除去し、そのバッグを密封する。
【００１９】
この目的は、第一及び第二プラスチックバッグ及び第一プラスチックバッグ中に存在する塊の形態にあるポリシリコンを備えてなる二重バッグであって、第一プラスチックバッグが第二プラスチックバッグの中に挿入されており、両方のプラスチックバッグが密封されており、二重バッグの総体積が、塊の体積に対して2.4〜3.0の割合である、二重バッグによっても達成される。
【００２０】
好ましくは、第一バッグの総体積は、塊の体積に対して2.0〜2.7の割合である。
【００２１】
好ましくは、第一バッグの寸法は、プラスチックフィルムがシリコン塊に密接に適合するような寸法である。その結果、塊同士の間で相対的な運動を回避することができる。
【００２２】
プラスチックバッグは、好ましくは高純度プラスチックからなる。プラスチックは、好ましくはポリエチレン(ＰＥ)、ポリエチレンテレフタレート(ＰＥＴ)又はポリプロピレン(ＰＰ)もしくは複合材料フィルムである。複合材料フィルムは、たわみ性包装物が作られる多層包装フィルムである。個々のフィルム層は、典型的には押出し又はラミネート加工されている。
【００２３】
プラスチックバッグは、好ましくは厚さが10〜1000μmである。
【００２４】
プラスチックバッグは、例えば溶接、接着、裁縫又はポジティブロッキングにより密封される。プラスチックバッグの密封は好ましくは溶接により行う。
【００２５】
包装したバッグの体積を測定するには、バッグを水盤の中に浸漬する。
【００２６】
排除された水は、バッグの総体積(Ｖtot)に相当する。
【００２７】
シリコンの重量を、超純粋シリコンの一定密度(2.336g/cm３)と共に使用し、シリコンの体積(Ｖsi)を決定する。
【００２８】
あるいは、シリコンの体積は、浸漬方法によっても同様に測定できる。
【００２９】
表１は、空気の吸引を行わない包装、米国特許出願公開第2010/154357A1号による先行技術の包装及び簡単な方法で包装した2種類のバッグに関する、比Ｖtot/Ｖsi及び貫通及び微粉生成に関する定性結果を示す。
【００３０】
包装フィルムの貫通及び好ましくない微粉の形成は、標準的な輸送シミュレーション(トラック/列車/船)後に測定した。
【００３１】
バッグ１は、サイズ4〜15mmの塊で満たした。
【００３２】
バッグ２は、サイズ45〜120mmの塊で満たした。
【００３３】
サイズ区分は、シリコン塊の表面上の２点間の最長距離として定義する(最大長さ)。
【００３４】
【表１】
2014122153.tif 000002
【００３５】
バッグ１及び２は、さらなる試験(二重バッグ)で第二バッグに溶接した。
【００３６】
表２は、空気吸引を行わない二重バッグ包装に関する、及び２種類の本発明の例に関する、比Ｖtot/Ｖsi及び貫通及び微粉の生成に対する定性結果を示す。
【００３７】
【表２】
2014122153.tif 000003
【００３８】
主要バッグに関して、目的は、2.0〜2.7、好ましくは2.0〜2.4の比Ｖtot/Ｖsiを得ることである。
【００３９】
従って、驚くべきことに、微粉及び貫通の無い包装を製造することができる。
【００４０】
内側及び外側バッグ中に包装したシリコンに関して、2.40〜3.0のＶtot/Ｖsiが不可欠である。
【００４１】
空気は、シリコンを詰めたプラスチックバッグから、様々な方法により除去できる。
−手作業で圧迫し、続いて溶接
−クランプ又はラム装置、続いて溶接
−吸引装置、続いて溶接
−真空チャンバ、続いて溶接
【００４２】
包装の際における周囲条件は、好ましくは温度18〜25℃である。相対空気湿度は、好ましくは30〜70％である。
【００４３】
その結果、凝縮水の形成を回避できることが分かった。
【００４４】
好ましくは、さらに空気を濾過した環境中で包装を行う。
【外国語明細書】
2014122153000001.pdf